(57)【特許請求の範囲】
【請求項１】
光が入射する入射面と、導光した光が出射する出射面とを有する導光板と、
上記導光板の入射面に対向して配置された光源と、
上記導光板の出射面側に配置された光学シート部と、
上記光学シート部、上記光源、及び上記導光板を取り囲んで保持するためのフレームと、
粘着材を介して、上記フレーム及び上記導光板に粘着固定された固定部材と
を備え、
上記光学シート部は、上記光源側に突出すると共に上記導光板に固定された突出部を有しており、
上記突出部は、上記導光板と上記固定部材とにより挟持されることによって、上記導光板に固定されている
ことを特徴とするバックライトユニット。
【請求項２】
請求項１に記載されたバックライトユニットにおいて、
上記固定部材は、上記光源に接続されているフレキシブル基板である
ことを特徴とするバックライトユニット。
【請求項３】
請求項１に記載されたバックライトユニットにおいて、
上記突出部は、上記導光板及び上記フレームに固定されている
ことを特徴とするバックライトユニット。
【請求項４】
請求項３に記載されたバックライトユニットにおいて、
上記突出部は、上記導光板及び上記フレームと上記固定部材とにより挟持されることによって、上記導光板及び上記フレームに固定されている
ことを特徴とするバックライトユニット。
【請求項５】
請求項４に記載されたバックライトユニットにおいて、
上記固定部材は、上記光源に接続されているフレキシブル基板である
ことを特徴とするバックライトユニット。
【請求項６】
請求項３乃至５の何れか１つに記載されたバックライトユニットにおいて、
上記光源は、上記導光板の入射面に沿って複数設けられており、
上記突出部は、隣り合う上記光源の間に配置されている
ことを特徴とするバックライトユニット。
【請求項７】
請求項１，２，４，５又は６に記載されたバックライトユニットにおいて、
上記光学シート部は複数の光学シートを有し、
上記複数の光学シートの少なくとも１つと上記固定部材との間には、上記粘着材が介在されている
ことを特徴とするバックライトユニット。
【請求項８】
請求項１乃至７の何れか１つに記載されたバックライトユニットにおいて、
上記フレームには、該フレームにおける幅方向の全体に延びる溝部又は貫通孔が形成され、
上記光学シート部には、上記溝部又は上記貫通孔に係合する係合部が突出して形成されている
ことを特徴とするバックライトユニット。
【請求項９】
請求項１乃至８の何れか１つに記載されたバックライトユニットと、
上記バックライトユニットに対向して配置された液晶表示パネルとを備えている
ことを特徴とする液晶表示装置。
【発明の詳細な説明】
【技術分野】
【０００１】
本発明は、バックライトユニット及びそれを備えた液晶表示装置に関するものである。
【背景技術】
【０００２】
近年、例えば携帯端末等の電子機器には、表示デバイスとして液晶表示装置が広く用いられている。特に、透過型及び半透過型の液晶表示装置は、液晶表示パネルと、この液晶表示パネルに対向して配置された照明装置であるバックライトユニットとを有している。
【０００３】
バックライトユニットは、液晶表示パネルに対向する導光板と、導光板及び液晶表示パネルの間に設けられた光学シートと、導光板の側方に配置されたＬＥＤ（発光ダイオード）等の光源と、上記光源及び導光板を保持するフレームとを有している。
【０００４】
ここで、光学シートとは、入射した光の光学特性を制御するためのシートである。光学シートは、一般に樹脂材料からなるため、温度変化等により熱膨張や熱変形が生じ易い。光学シートの外周全体がフレームや液晶表示パネル等に固定されていると、温度変化等により光学シートに撓みが生じるため、表示品位が損なわれる問題がある。
【０００５】
これに対し、特許文献１には、略矩形状の光学シートの辺の数カ所に突出部を形成し、この突出部においてのみ、当該光学シートを両面テープによりフレームに粘着固定することが記載されている。これによれば、光学シートの拘束箇所が少なくなるので、光学シートが熱膨張しても、その光学シートの撓みを抑制することが可能になる。
【０００６】
また、特許文献２には、光学シートの突出部を、フレームに形成された溝部に挿入することによって、光学シートを位置決めすることが開示されている。そのことにより、バックライトユニットの組立時に光学シートの位置ずれを防止して、組立の作業性を向上させるようにしている。
【先行技術文献】
【特許文献】
【０００７】
【特許文献１】特開２００９−１２２１６７号公報
【特許文献２】特開２００１−１３３７８２号公報
【発明の概要】
【発明が解決しようとする課題】
【０００８】
上述のバックライトユニット及びそれを備えた液晶表示装置は、使用者が手元から誤って落下させてしまう場合がある。その際、大きな衝撃力がバックライトユニットに加わるので、光学シートがずれてしまう虞がある。光学シートのエッジが表示領域にずれ込むと、バックライトユニットの光が光学シートを介さずに液晶表示パネルに直接に入射する領域が生じるので、表示品位が低下してしまう。よって、光学シートは、より確実にフレームに固定することが望ましい。
【０００９】
ところが、近年、バックライトユニット及び液晶表示装置は、高度に薄型化及び小型化が進められ、その非表示領域である外周部分（額縁部分とも称する）の幅は、例えば１ｍｍ〜１．５ｍｍ程度に極めて狭く設計されている。これに伴って、フレームも高度に幅狭に形成されているので、そのフレームと光学シートの突出部とを固定する面積を十分に確保することは難しい。
【００１０】
すなわち、上記従来のバックライトユニット及び液晶表示装置では、そのフレームを幅狭に形成しつつ、光学シートをバックライトユニット内で確実に固定することは困難である。
【００１１】
本発明は、かかる諸点に鑑みてなされたものであり、その目的とするところは、フレームを幅狭に形成しつつ、光学シート部をバックライトユニット内で確実に固定しようとすることにある。
【課題を解決するための手段】
【００１２】
上記の目的を達成するために、第１の発明に係るバックライトユニットは、光が入射する入射面と、導光した光が出射する出射面とを有する導光板と、上記導光板の入射面に対向して配置された光源と、上記導光板の出射面側に配置された光学シート部と、上記光学シート部、上記光源、及び上記導光板を取り囲んで保持するためのフレームと、粘着材を介して、上記フレーム及び上記導光板に粘着固定された固定部材とを備え、上記光学シート部は、上記光源側に突出すると共に上記導光板に固定された突出部を有しており、上記突出部は、上記導光板と上記固定部材とにより挟持されることによって、上記導光板に固定されている。
【００１３】
この発明によると、バックライトユニットにおける光学シート部の光源側の領域を有効に利用して、光学シート部の突出部を十分な面積で導光板に固定することができる。よって、フレーム自体は幅狭に形成しながらも、光学シート部をバックライトユニット内で確実に固定することが可能になる。
【００１４】
また、この発明によると、光学シート部は、突出部が導光板と固定部材とに挟持されることによって好適に固定することが可能になる。
【００１５】
第２の発明は、上記第１の発明において、上記固定部材は、上記光源に接続されているフレキシブル基板であることを特徴とする。
【００１６】
この発明によると、光源に接続されているフレキシブル基板を利用して、光学シート部の突出部を好適に固定することが可能になる。
【００１７】
第３の発明は、上記第１の発明において、上記突出部は、上記導光板及び上記フレームに固定されていることを特徴とする。
【００１８】
この発明によると、導光板に加えてフレームにおいても、光学シート部の突出部を固定することができる。よって、バックライトユニット内で光学シート部をより確実に固定することが可能になる。
【００１９】
第４の発明は、上記第３の発明において、上記突出部は、上記導光板及び上記フレームと上記固定部材とにより挟持されることによって、上記導光板及び上記フレームに固定されていることを特徴とする。
【００２０】
この発明によると、光学シート部の突出部は、導光板と固定部材とによって挟持されるだけでなく、フレームと固定部材とによっても挟持されることとなる。
【００２１】
第５の発明は、上記第４の発明において、上記固定部材は、上記光源に接続されているフレキシブル基板であることを特徴とする。
【００２２】
この発明によると、光源に接続されているフレキシブル基板を利用して、光学シート部の突出部を好適に固定することが可能になる。
【００２３】
第６の発明は、上記第３乃至５の何れか１つの発明において、上記光源は、上記導光板の入射面に沿って複数設けられており、上記突出部は、隣り合う上記光源の間に配置されていることを特徴とする。
【００２４】
この発明によると、光源の間の領域を有効に利用して、光学シート部の突出部をより十分な面積で固定することができる。
【００２５】
第７の発明は、上記第１，２，４，５又は６の発明において、上記光学シート部は複数の光学シートを有し、上記複数の光学シートの少なくとも１つと上記固定部材との間には、粘着材が介在されていることを特徴とする。
【００２６】
この発明によると、光学シートと固定部材とが粘着材により粘着固定されるので、より確実に光学シート部をバックライトユニット内で固定できる。
【００２７】
第８の発明は、上記第１乃至７の何れか１つの発明において、上記フレームには、該フレームにおける幅方向の全体に延びる溝部又は貫通孔が形成され、上記光学シート部には、上記溝部又は上記貫通孔に係合する係合部が突出して形成されていることを特徴とする。
【００２８】
この発明によると、上述の突出部に加え、フレームの溝部又は貫通孔に係合した係合部によって光学シート部を好適に固定できる。また、溝部及び貫通孔はフレームにおける幅方向の全体に延びているので、その溝部又は貫通孔と係合部とを十分な面積で係合して固定できる。
【００２９】
第９の発明に係る液晶表示装置は、上記第１乃至８の何れか１つの発明に係るバックライトユニットと、上記バックライトユニットに対向して配置された液晶表示パネルとを備えている。
【００３０】
この発明によると、フレームに対応する液晶表示装置の額縁部分を幅狭に形成しながらも、光学シート部をバックライトユニット内で確実に固定することが可能になる。
【発明の効果】
【００３１】
本発明によれば、バックライトユニットにおける光学シート部の光源側の領域を有効に利用して、光学シート部の突出部を十分な面積で導光板に固定できるので、フレーム自体は幅狭に形成しながらも、光学シート部をバックライトユニット内で確実に固定することができる。
【図面の簡単な説明】
【００３２】
【図１】図１は、本実施形態１のバックライトユニットにおけるＬＥＤ素子近傍を拡大して示す平面図である。
【図２】図２は、本実施形態１のバックライトユニットにおけるＬＥＤ素子と反対側の領域近傍を拡大して示す平面図である。
【図３】図３は、図２における係合部近傍を拡大して示す平面図である。
【図４】図４は、図１における係合部近傍を拡大して示す平面図である。
【図５】図５は、図１における第１突出部近傍を拡大して示す平面図である。
【図６】図６は、図１における第２突出部近傍を拡大して示す平面図である。
【図７】図７は、図１におけるVII−VII線断面図である。
【図８】図８は、図７に示すバックライトユニットに液晶表示パネルが組み付けられた液晶表示装置を示す断面図である。
【図９】図９は、図１におけるIX−IX線断面図である。
【図１０】図１０は、図９に示すバックライトユニットに液晶表示パネルが組み付けられた液晶表示装置を示す断面図である。
【図１１】図１１は、図３におけるXI−XI線断面として示されるバックライトユニットに液晶表示パネルが組み付けられた液晶表示装置を示す断面図である。
【図１２】図１２は、実施形態１の変形例に係るバックライトユニットのＬＥＤ素子近傍を拡大して示す平面図である。
【図１３】図１３は、実施形態１の変形例に係るバックライトユニットのＬＥＤ素子近傍を拡大して示す平面図である。
【図１４】図１４は、実施形態１の変形例に係る係合部の近傍を拡大して示す平面図である。
【図１５】図１５は、本実施形態２のバックライトユニットにおけるＬＥＤ素子近傍を拡大して示す平面図である。
【図１６】図１６は、図１５における第３突出部近傍を拡大して示す平面図である。
【図１７】図１７は、実施形態２の変形例に係るバックライトユニットのＬＥＤ素子近傍を拡大して示す平面図である。
【図１８】図１８は、本実施形態３における液晶表示装置の構成を示す断面図である。
【発明を実施するための形態】
【００３３】
以下、本発明の実施形態を図面に基づいて詳細に説明する。尚、本発明は、以下の実施形態に限定されるものではない。
【００３４】
《発明の実施形態１》
図１〜図９は、本発明の実施形態１を示している。
【００３５】
図１は、本実施形態１のバックライトユニット１０におけるＬＥＤ素子１８近傍を拡大して示す平面図である。図２は、本実施形態１のバックライトユニット１０におけるＬＥＤ素子１８と反対側の領域近傍を拡大して示す平面図である。
【００３６】
図７は、図１におけるVII−VII線断面図である。図８は、図７に示すバックライトユニット１０に液晶表示パネル１５が組み付けられた液晶表示装置１を示す断面図である。図９は、図１におけるIX−IX線断面図である。図１０は、図９に示すバックライトユニット１０に液晶表示パネル１５が組み付けられた液晶表示装置１を示す断面図である。図１１は、図３におけるXI−XI線断面として示されるバックライトユニット１０に液晶表示パネル１５が組み付けられた液晶表示装置１を示す断面図である。
【００３７】
本実施形態における液晶表示装置１は、照明装置であるバックライトユニット１０と、バックライトユニット１０に対向して配置された液晶表示パネル１５とを有している。液晶表示装置１は、例えば携帯端末の表示装置を構成しており、その非表示領域である外周部分（額縁部分）の幅が、例えば１ｍｍ〜１．５ｍｍ程度に極めて狭く設計されている。
【００３８】
液晶表示パネル１５は、図８及び図１０に示すように、アクティブマトリクス基板としてのＴＦＴ基板１１と、ＴＦＴ基板１１に対向して配置された対向基板１２と、ＴＦＴ基板１１及び対向基板１２の間に設けられた液晶層（図示省略）とを有する。
【００３９】
ＴＦＴ基板１１の対向基板１２と反対側には、偏光板１３が貼り付けられている。一方、対向基板１２のＴＦＴ基板１１と反対側には、偏光板１４が貼り付けられている。また、ＴＦＴ基板１１は、対向基板１２に対向しない領域であってドライバＩＣ１６等が実装された実装領域１７を有している。
【００４０】
バックライトユニット１０は、図８〜図１１に示すように、光が入射する入射面２５ａと導光した光が出射する出射面２５ｂとを有する導光板２５と、導光板２５の入射面２５ａに対向して配置された光源であるＬＥＤ（発光ダイオード）素子１８と、導光板２５の出射面２５ｂ側に配置された光学シート部２０と、これらの光学シート部２０、ＬＥＤ素子１８、及び導光板２５を取り囲んで保持するためのフレーム２８とを備えている。
【００４１】
フレーム２８は、例えばプラスチックによって形成され、図１及び図２に示すように、略矩形状の開口部２８ａを有する矩形枠形状に形成されている。フレーム２８の液晶表示パネル１５と反対側には、開口部２８ａを塞ぐように反射板２７が設けられている。
【００４２】
図８〜図１１に示すように、フレーム２８の開口部２８ａには、矩形状の導光板２５が、反射板２７に載置された状態で収納されている。導光板２５の出射面２５ｂは、導光板２５における反射板２７と反対側の表面に形成されている。
【００４３】
また、図１及び図１０に示すように、フレーム２８には、複数のＬＥＤ素子１８が導光板２５の入射面２５ａに対向するように近接して設けられている。複数のＬＥＤ素子１８は、入射面２５ａに沿って一列に並んでおり、その配列の中央位置において比較的大きい間隔が設けられている。この比較的大きい間隔が設けられている領域には、フレーム２８の一部が外側（図１で上側）から分岐して導光板２５側に延びている。そうして、導光板２５に入射した光が出射面２５ｂから一様に出射するようになっている。
【００４４】
複数のＬＥＤ素子１８には、図８及び図１０に示すように、当該ＬＥＤ素子１８に電力や制御信号等を供給するためのフレキシブル基板３０が接続されている。フレキシブル基板３０は、例えばＦＰＣ（フレキシブルプリント基板）である。フレキシブル基板３０は、図１及び図１０に示すように、ＬＥＤ素子１８の液晶表示パネル１５側に配置されると共に、複数のＬＥＤ素子１８を取り囲むように設けられた矩形枠状の第１粘着材３１を介してフレーム２８及び導光板２５に粘着固定されている。
【００４５】
また、フレキシブル基板３０は、上記ＴＦＴ基板１１の実装領域１７に重なるように配置されている。フレキシブル基板３０とＴＦＴ基板１１との間には、第２粘着材３２が介在されている。そうして、液晶表示パネル１５はバックライトユニット１０に粘着固定されている。
【００４６】
光学シート部２０は、互いに積層された複数の光学シート２１，２２，２３を有している。光学シート部２０は、例えば、導光板２５の表面に載置された第１光学シート２１と、第１光学シート２１に積層された第２光学シート２２と、第２光学シート２２に積層された第３光学シート２３とを有している。各光学シート２１，２２，２３は、例えばプリズムシート又は拡散シート等の入射した光の光学特性を制御するためのシートであって、それぞれ導光板２５の出射面２５ｂと略同じ大きさを有している。
【００４７】
ここで、図３は、図２における係合部３６近傍を拡大して示す平面図である。図４は、図１における係合部３６近傍を拡大して示す平面図である。
【００４８】
図３及び図４に示すように、フレーム２８における液晶表示パネル１５側の表面には、そのフレーム２８における幅方向の全体に延びる溝部３５が形成されている。そして、光学シート部２０には、溝部３５に係合する係合部３６が突出して形成されている。係合部３６は、光学シート部２０における対向する２辺に例えば２つずつ設けられている。
【００４９】
係合部３６は、上記光学シート２１，２２，２３の積層体の一部により構成されている。また、係合部３６は係合部３６の全体に亘って設けられておらず、溝部３５における係合部３６の先端側は空隙となっている。こうして、光学シート部２０は係合部３６においてフレーム２８に固定されている。
【００５０】
尚、フレーム２８には、溝部３５の代わりにフレーム２８の幅方向全体に延びる貫通孔を形成し、その貫通孔に光学シート部２０の係合部３６を係合させるようにしてもよい。そのようにしても光学シート部２０をフレーム２８に固定できる。さらに、係合部３６のフレーム２８からの離脱を防止することもできる。
【００５１】
そして、図１に示すように、光学シート部２０は、ＬＥＤ素子１８側に突出する突出部３８を有している。
【００５２】
本実施形態における突出部３８は、第１突出部３８ａと第２突出部３８ｂとを有している。図１に示すように、第２突出部３８ｂは、導光板２５の入射面２５ａが形成されている一辺の中央位置に設けられ、第１突出部３８ａよりも大きく突出している。また、２つの第１突出部３８ａが、第２突出部３８ｂから所定の間隔で設けられると共に当該第２突出部３８ｂを間に挟むように配置されている。
【００５３】
ここで、図５は、図１における第１突出部３８ａ近傍を拡大して示す平面図である。図６は、図１における第２突出部３８ｂ近傍を拡大して示す平面図である。
【００５４】
図５に示すように、第１粘着材３１には、第１突出部３８ａの先端側に凹状部４１が形成されている。そして、第１突出部３８ａの先端部は、凹状部４１の内側に配置されると共に、この凹状部４１の内側で導光板２５に接触している。
【００５５】
第１突出部３８ａは、図１０に示すように、導光板２５と固定部材としてのフレキシブル基板３０とにより挟持されることによって、導光板２５に固定されている。また、第１突出部３８ａは、その先端部が凹状部４１に囲まれることによって出射面２５ｂに沿った方向のずれが抑制される。
【００５６】
また、図６に示すように、第１粘着材３１には、上記凹状部４１よりも深い凹状部４２が第２突出部３８ｂの先端側に形成されている。凹状部４２は、隣り合うＬＥＤ素子１８の間に形成されている。
【００５７】
一方、フレーム２８には、凹状部４２に重なる領域において当該フレーム２８の内側に突出した凸部２８ｂが形成されている。こうして、凹状部４２の内側には、導光板２５の一部及びフレーム２８における凸部２８ｂの一部が配置されている。
【００５８】
そして、第２突出部３８ｂの先端部は、凹状部４２の内側に配置されることにより、隣り合うＬＥＤ素子１８の間に配置されると共に、凹状部４２の内側で導光板２５及びフレーム２８の凸部２８ｂに接触するようになっている。
【００５９】
また、第２突出部３８ｂは、図８に示すように、導光板２５及びフレーム２８とフレキシブル基板３０とにより挟持されることによって、導光板２５及びフレーム２８に固定されている。そうして、第２突出部３８ｂは、その先端部が凹状部４２に囲まれることによって出射面２５ｂに沿った方向のずれが抑制される。
【００６０】
尚、固定部材は、フレキシブル基板３０に限らず、突出部３８を導光板２５側へ押圧する他の部材によって構成することも可能である。
【００６１】
−実施形態１の効果−
したがって、この実施形態１によると、バックライトユニット１０における光学シート部２０のＬＥＤ素子１８側の領域を有効に利用して、光学シート部２０の第１及び第２突出部３８ａ，３８ｂを十分な面積で導光板２５に固定できる。よって、フレーム２８自体は幅狭に形成して液晶表示装置１の額縁部分を幅狭に形成しながらも、光学シート部２０をバックライトユニット１０内で確実に固定できる。
【００６２】
さらに、第１突出部３８ａでは、光学シート部２０を導光板２５とフレキシブル基板３０とにより挟持して好適に固定できる。また、第２突出部３８ｂでは、光学シート部２０を導光板２５に加えてフレーム２８においても、フレキシブル基板３０と挟持できるので、バックライトユニット１０内で光学シート部２０をより確実に固定できることとなる。また、ＬＥＤ素子１８に接続されているフレキシブル基板３０を利用して、光学シート部２０の各突出部３８を好適に固定できる。
【００６３】
さらにまた、第２突出部３８ｂにより、隣り合うＬＥＤ素子１８の間の領域を有効に利用して、光学シート部２０をより十分な面積で固定できる。
【００６４】
しかも、上述の突出部３８に加え、フレーム２８の溝部３５に係合した係合部３６によって光学シート部２０を好適に固定できる。また、溝部３５はフレーム２８における幅方向の全体に延びているので、その溝部３５と係合部３６とを十分な面積で係合して固定することができる。
【００６５】
（変形例）
図１２及び図１３は、実施形態１の変形例に係るバックライトユニットのＬＥＤ素子１８近傍を拡大して示す平面図である。図１４は、実施形態１の変形例に係る係合部の近傍を拡大して示す平面図である。
【００６６】
上記実施形態１では、光学シート部２０に第１突出部３８ａ及び第２突出部３８ｂの双方を設けた例について説明したが、本発明はこれに限定されない。すなわち、図１２に示すように、第２突出部３８ｂを設ける一方で第１突出部３８ａを設けないようにしてもよい。また、図１３に示すように、第１突出部３８ａを設ける一方で第２突出部３８ｂを設けないようにしてもよい。このようにしても、光学シート部２０を好適に固定することができる。
【００６７】
また、上記実施形態１では、各係合部３６を比較的大きく離間した領域に１つずつ配置させた例について説明したが、本発明はこれに限定されない。すなわち、図１４に示すように、離間した各領域にそれぞれ複数の係合部３６を設けるようにしてもよい。この場合、フレーム２８には、各係合部３６に対応する溝部３５又は貫通孔を形成すればよい。
このようにしても、光学シート部２０をフレーム２８で固定する面積を増大させることが可能である。尚、フレーム２８の機械的強度を確保する観点から、フレーム２８に多くの溝部３５又は貫通孔を設けるよりも、複数の突出部３８によって光学シート部２０を固定することが好ましい。
【００６８】
《発明の実施形態２》
図１５は、本発明の実施形態２を示している。
【００６９】
図１５は、本実施形態２のバックライトユニット１０におけるＬＥＤ素子１８近傍を拡大して示す平面図である。図１６は、図１５における第３突出部近傍を拡大して示す平面図である。尚、以降の各実施形態では、図１〜図１４と同じ部分については同じ符号を付して、その詳細な説明を省略する。
【００７０】
本実施形態は、上記実施形態１における第１突出部３８ａの代わりに第３突出部３８ｃを光学シート部２０に設けるようにしたものである。すなわち、本実施形態における光学シート部２０は、第２突出部３８ｂ及び第３突出部３８ｃを有している。
【００７１】
図１５に示すように、第３突出部３８ｃは、光学シート部２０のＬＥＤ素子１８側の一辺においてＬＥＤ素子１８側に突出している。一方、第１粘着材３１には、図１６に示すように、第３突出部３８ｃの先端側に切欠部４３が形成されている。そして、第３突出部３８ｃの先端部は、切欠部４３の内側に配置されると共に、この切欠部４３の内側で導光板２５に接触している。
【００７２】
第３突出部３８ｃは、第２突出部３８ｂと同様に、導光板２５とフレキシブル基板３０とにより挟持されることによって、導光板２５に固定されている。また、第３突出部３８ｃは、その先端部が切欠部４３の内側に配置されることにより、出射面２５ｂに沿った方向のずれが抑制される。
【００７３】
したがって、この実施形態２によっても、バックライトユニット１０における光学シート部２０のＬＥＤ素子１８側の領域を有効に利用して、光学シート部２０の第２及び第３突出部３８ｂ，３８ｃを十分な面積で導光板２５に固定できる。よって、フレーム２８自体は幅狭に形成して液晶表示装置１の額縁部分を幅狭に形成しながらも、光学シート部２０をバックライトユニット１０内で確実に固定できる。
【００７４】
（変形例）
図１７は、実施形態２の変形例に係るバックライトユニットのＬＥＤ素子１８近傍を拡大して示す平面図である。
【００７５】
上記実施形態２では、光学シート部２０に第２突出部３８ｂ及び第３突出部３８ｃの双方を設けた例について説明したが、本発明はこれに限定されない。すなわち、図１７に示すように、第３突出部３８ｃを設ける一方で第２突出部３８ｂを設けないようにしてもよい。このようにしても、光学シート部２０を好適に固定することができる。
【００７６】
《発明の実施形態３》
図１８は、本発明の実施形態３を示している。
【００７７】
図１８は、本実施形態３における液晶表示装置１の構成を示す断面図である。
【００７８】
上記実施形態１及び２では、光学シート部２０の突出部３８をフレキシブル基板３０と導光板２５とにより挟持して固定するようにしたが、突出部３８を粘着材によって固定してもよい。
【００７９】
すなわち、図１８に示すように、本実施形態における光学シート部２０の第１突出部３８ａは、最下層の第１光学シート２１が第２及び第３光学シート２２，２３よりも大きく突出した延長部２１ａを有している。そして、延長部２１ａは、凹状部４１の内側で導光板２５に接触した状態で、第１粘着材３１を介してフレキシブル基板３０に粘着固定されている。すなわち、第１突出部３８ａは、延長部２１ａにおいて導光板２５と第１粘着材３１及びフレキシブル基板３０とにより挟持されると共に、延長部２１ａの基端側において導光板２５とフレキシブル基板３０とにより挟持されている。
【００８０】
尚、第１光学シート２１に限らず、複数の光学シート２１，２２，２３の少なくとも１つとフレキシブル基板３０との間に粘着材が介在される構成としてもよい。また、粘着材によって固定する突出部３８は、第１突出部３８ａに限らず、第２突出部３８ｂ又は第３突出部３８ｃであってもよい。
【００８１】
したがって、この実施形態３によると、上記実施形態１及び２と同様に、フレーム２８自体は幅狭に形成して液晶表示装置１の額縁部分を幅狭に形成しながらも、光学シート部２０をバックライトユニット１０内で確実に固定できる。
【００８２】
しかも、第１光学シート２１の延長部２１ａにおいて光学シート部２０とフレキシブル基板３０とが第１粘着材３１により粘着固定されるので、より確実に光学シート部２０をバックライトユニット１０内で固定することができる。
【００８３】
尚、本発明は上記実施形態１〜３に限定されるものでなく、本発明には、これらの実施形態１〜３を適宜組み合わせた構成が含まれる。
【産業上の利用可能性】
【００８４】
以上説明したように、本発明は、バックライトユニット及びそれを備えた液晶表示装置について有用である。
【符号の説明】
【００８５】
１      液晶表示装置 
１０      バックライトユニット 
１５      液晶表示パネル 
１８      ＬＥＤ素子（光源） 
２０      光学シート部 
２１      第１光学シート 
２１ａ    延長部 
２２      第２光学シート 
２３      第３光学シート 
２５      導光板 
２５ａ    入射面 
２５ｂ    出射面 
２８      フレーム 
３０      フレキシブル基板（固定部材）
３１      第１粘着材 
３５      溝部 
３６      係合部 
３８      突出部 
３８ａ    第１突出部 
３８ｂ    第２突出部 
３８ｃ    第３突出部
【図１】
0005878976.tif 000002
【図２】
0005878976.tif 000003
【図３】
0005878976.tif 000004
【図４】
0005878976.tif 000005
【図５】
0005878976.tif 000006
【図６】
0005878976.tif 000007
【図７】
0005878976.tif 000008
【図８】
0005878976.tif 000009
【図９】
0005878976.tif 000010
【図１０】
0005878976.tif 000011
【図１１】
0005878976.tif 000012
【図１２】
0005878976.tif 000013
【図１３】
0005878976.tif 000014
【図１４】
0005878976.tif 000015
【図１５】
0005878976.tif 000016
【図１６】
0005878976.tif 000017
【図１７】
0005878976.tif 000018
【図１８】
0005878976.tif 000019